(57)【要約】      （修正有）【課題】外部からの衝撃を完全に分散させて頭部を保護することができるとともに、使用者の頭部に完全にフィットさせて不快感をなくすことができ、さらには、靴のインナーや椅子のクッションにも適用することができる空気衝撃緩衝装置を提供する。【解決手段】手押しポンプ１と、空気衝撃緩衝パッドとによって構成する。手押しポンプは、ポンプ台座１０と、弾性膜部２０と、二つの空気弁とによって構成し、弾性膜部はポンプ台座上方に連結され、二つの空気弁は、ポンプ台座と、弾性膜部に嵌入される。空気衝撃緩衝パッドは手押しポンプに連結される。【選択図】図１
0003162147.tif 000002
【実用新案登録請求の範囲】
【請求項１】
手押しポンプと、空気衝撃緩衝パッドとによって構成する空気衝撃緩衝装置において、
手押しポンプは、ポンプ台座と、弾性膜部と、二つの空気弁とによって構成し、
ポンプ台座には、突起した管状台座が設けられ、管状台座の内部底側には空気排出孔が設けられ、ポンプ台座の周縁には平坦な密封縁が設けられ
弾性膜部はポンプ台座上方に連結され、弾性膜部には受け口が一体成形され、受け口の底側には空気進入孔が設けられ、弾性膜部の周縁には密封縁が設けられ、ポンプ台座の密封縁と弾性膜部の密封縁は加工によって連結され、
二つの空気弁は、単方向の弁体である空気排出弁と空気進入弁であり、ポンプ台座の管状台座内には空気排出作用をもつ空気排出弁が嵌入され、弾性膜部の受け口内には、空気進入作用をもつ空気進入弁が嵌入され、
空気衝撃緩衝パッドには通気孔が設けられ、通気孔は、手押しポンプのポンプ台座の空気排出孔に対応する位置に設けられ、空気衝撃緩衝パッドと手押しポンプのポンプ台座の密封縁底部は連結され、空気衝撃緩衝パッドの片側には空気抜き弁が設けられることを特徴とする、空気衝撃緩衝装置。
【請求項２】
ポンプ台座の頂面には環状突起部が設けられることを特徴とする、請求項１に記載の空気衝撃緩衝装置。
【請求項３】
各空気弁は、弁蓋と、弁部材とによって構成し、弁蓋頂部の中央には通孔が設けられ、弁部材の底部には複数の湾曲変形可能な軟性柱が設けられ、弁部材の頂面には気密縁部が設けられ、弁部材は弁蓋内に設けられ、各空気弁は、締り嵌めによってポンプ台座の管状台座内及び弾性膜部の受け口内にそれぞれ配置され、弁部材の頂面は、通常時には、弁蓋の通孔の底面に接触していることを特徴とする、請求項１に記載の空気衝撃緩衝装置。
【請求項４】
弁蓋の外側には凸縁が設けられ、弁蓋は、その凸縁によって管状台座及び受け口の内壁に密着して嵌合されることを特徴とする、請求項３に記載の空気衝撃緩衝装置。
【請求項５】
該弁蓋の内側周縁には複数の支突起リブが設けられることを特徴とする、請求項３に記載の空気衝撃緩衝装置。
【請求項６】
該弁部材の底部の軟性柱の間には溝部が設けられることを特徴とする、請求項３に記載の空気衝撃緩衝装置。
【考案の詳細な説明】
【技術分野】
【０００１】
本考案は、外部の衝撃から頭部を守る空気衝撃緩衝装置に関し、特に、バイク、自転車、工事現場などのヘルメットなどに適用される空気衝撃緩衝装置に関する。
【背景技術】
【０００２】
ヘルメットは人の頭部に被せられ、頭部を外部の衝撃から守り怪我をするのを防ぐ役割をする。一般的に、ヘルメットの外殻は硬い性質をもつＰＣ樹脂からなり、ライナーは衝撃緩衝作用をもつ高密度のポリスチレンからなり、厳しい国の安全基準を満たさなければならない。この種の構造をもつヘルメットは、頭に装着した時、外部の衝撃から頭部を保護し頭部が受けるダメージを減らすことができるものの、ヘルメット内部の衝撃量の分散・吸収効果は限られているため、外部から激しい衝撃を受けた時、眩暈がしたり脳震盪が生じたりすることがある。
【０００３】
また、市場で売られているヘルメットは大量生産で作られているため、個人の頭の大きさに合わせることができず、頭に装着したときに完全に頭にフィットさせることができない場合があり、頭部に受けた衝撃によってヘルメットが外れてしまう可能性があり、危険である。
【考案の概要】
【考案が解決しようとする課題】
【０００４】
そこで、本考案は、自分で空気を入れることができ、ヘルメット内に設けた時、外部からの衝撃を完全に分散させて頭部を保護することが可能な空気衝撃緩衝装置を提供することを目的とする。
【０００５】
また、本考案は、使用者の頭部に完全にフィットさせることができ、装着したときに不快感を生じさせない空気衝撃緩衝装置を提供することを目的とする。
【０００６】
また、本考案は、靴のインナーや椅子のクッションに適用することができる空気衝撃緩衝装置を提供することを目的とする。
【課題を解決するための手段】
【０００７】
本考案による空気衝撃緩衝装置は、手押しポンプと、空気衝撃緩衝パッドとによって構成する。手押しポンプは、ポンプ台座と、弾性膜部と、二つの空気弁とによって構成し、ポンプ台座には、突起した管状台座が設けられ、管状台座の内部底側には空気排出孔が設けられ、ポンプ台座の周縁には平坦な密封縁が設けらる。弾性膜部はポンプ台座上方に連結され、弾性膜部には受け口が一体成形され、受け口の底側には空気進入孔が設けられ、弾性膜部の周縁には密封縁が設けられ、ポンプ台座の密封縁と弾性膜部の密封縁は加工によって連結される。二つの空気弁は、単方向の弁体である空気排出弁と空気進入弁であり、ポンプ台座の管状台座内には空気排出作用をもつ空気排出弁が嵌入され、弾性膜部の受け口内には、空気進入作用をもつ空気進入弁が嵌入される。空気衝撃緩衝パッドには通気孔が設けられ、通気孔は、手押しポンプのポンプ台座の空気排出孔に対応する位置に設けられ、空気衝撃緩衝パッドと手押しポンプのポンプ台座の密封縁底部は連結され、空気衝撃緩衝パッドの片側には空気抜き弁が設けられる。
【図面の簡単な説明】
【０００８】
【図１】本考案の手押しポンプの構造を示した分解斜視図である。
【図２】本考案の手押しポンプの外観を示した斜視図である。
【図３】本考案の手押しポンプを示した断面図である。
【図４】本考案の空気弁の構造を示した分解斜視図である。
【図５】本考案の手押しポンプの一部の構造を示した拡大図である。
【図６】手押しポンプと空気衝撃緩衝パッドを連結させて空気衝撃緩衝装置を形成させる過程を示した説明図である。
【図７】空気衝撃緩衝装置に空気を入れる動作を示した説明図である。
【考案を実施するための形態】
【０００９】
本考案による空気衝撃緩衝装置は、手押しポンプ１と空気衝撃緩衝パッド４０とによって構成する。図１から図３に示すように、手押しポンプ１にはポンプ台座１０が設けられ、ポンプ台座１０上方には弾性膜部２０が連結される。なお、ポンプ台座１０はプラスチックからなるのが好ましい。また、ポンプ台座１０頂面には環状突起部１１が設けられ、環状突起部１１の内側縁には突起した管状台座１２が設けられ、管状台座１２の内部底端には空気排出孔１３が設けられ、ポンプ台座１０の周縁には平坦な密封縁１４が設けられる。また、ポンプ台座１０の管状台座１２内には、空気排出作用をもつ空気排出弁３０が嵌入される。
【００１０】
弾性膜部２０は弧状を呈する。また、弾性膜部２０には受け口２が一体成形される。受け口２１の底端には空気進入孔２２が設けられるとともに、受け口２１には、空気進入作用をもつ空気進入弁３０ａが嵌入される。弾性膜部２０の周縁には密封縁２３が設けられ、ポンプ台座１０の密封縁１４と弾性膜部２０の密封縁３２は、プラスチックの高周波加工或いはモールド技術によって連結され、それにより空気室を備える手押しポンプ１構造が形成される。そして、手押しポンプ１を空気衝撃緩衝パッド４０の片側に連結すると、空気衝撃緩衝装置２（図６に図示）が形成される。
【００１１】
図４に示すように、空気排出弁３０と空気進入弁３０ａの構造には単方向の弁体が採用される。空気排出弁３０と空気進入弁３０ａは、いずれも、弁蓋３１と、弁蓋３１内部に嵌設される弁部材３２とによって構成する。弁部材３２は、隙間嵌めによって弁蓋３１の凹穴３３内に設けられる。手押しポンプ１が押されると、空気排出弁３０と空気進入弁３０ａによって、自動的に空気の排出と進入が行われる。図５に示すように、空気進入弁３０ａは、締り嵌めによって、弾性膜部２０の管状台座２１内に嵌設され、空気排出弁３０は、ポンプ台座１０の管状台座１２内に嵌設される。
【００１２】
図４、図５に示すように、空気排出弁３０と空気進入弁３０ａの弁蓋３１には凹穴３３が設けられ、弁蓋の頂部中央には通孔３１１が設けられる。弁蓋３１の内壁には複数の突起リブ３１２が設けられ、弁蓋３１は、突起リブにより、弁部材３２と低い摩擦抵抗を保持することができるとともに、空気の流動をスムーズにさせ、さらには弁部材３２を移動させる過程で壊れてしまうのを防ぐ。また、弁蓋３１の開口端部の外側縁には凸縁３１３が設けられ、弁部材３２の底部には複数の湾曲変形可能な軟性柱３２１が設けられ、軟性柱３２１の間には溝部３２２が設けられ（図４に図示）、溝部３２２によって、空気が流動する時の通路の空間を広げることができ、素早く空気を入れることができるようになる。以上の構造により、弁部材３２は弁蓋３１内に安定して取り付けることができ、さらに、上下に移動させることができる。また、弁部材３２の頂面の気密縁部３２３は、通常時は、弁蓋３１の通孔３１１の底面に接触している。また、弁蓋３１は、外側の凸縁３１３によって、管状台座１２及び受け口２１の内壁に嵌合され、それにより、密着した連結が得られる。
【００１３】
手押しポンプ１の弾性膜部２０に圧力をかけた時、ポンプ台座１０の空気排出弁３０内の弁部材３１が空気を排出する圧力を受ける。この時、弁部材３２の気密縁部３２３は弁蓋３１の通孔３１１から外れ、弁部材３１底部の軟性柱３２１が圧力を受けて湾曲変形し、それにより、手押しポンプ１空気室内の空気は空気排出弁３０の弁蓋３１頂部の通孔３１１から進入し、弁部材３２底部の溝部３２２を通って空気排出孔１３から排出される。また、弾性膜部２０にかけた圧力を開放した時、弾性膜部２０に弾性回復力が生じる。この時、空気進入弁３０ａの弁部材３２の気密縁部３２３は、陰圧作用を受け弁蓋３１の通孔３１１から外れ、それにより、外部の空気が弾性膜部２０の空気進入弁３０ａの弁蓋３１頂部の通孔３１１から進入し、弁部材３２底部の溝部３２２を通って空気進入孔２２から手押しポンプ１空気室内に進入し、弾性膜部２０は完全な膨張状態を回復する（図５に図示）。また、本考案は、空気排出弁３０と空気進入弁３０ａを相互に近接させて設けるとともに、互いに逆向きである単方向の弁を採用している。このため、手押しポンプ１が空気排出状態の時は、空気進入弁３１ａは密閉され、反対に、空気進入状態の時は、空気排出弁３１が密閉される。それにより、手押しポンプ１を押した時の空気の排出と進入の速度を更に速くする効果がある。
【００１４】
図６、図７に示すように、本考案の手押しポンプ１を使用する際は、手押しポンプ１を空気衝撃緩衝パッド４０の片側に連結させる。空気衝撃緩衝パッド４０には通気孔４１が設けられ、通気孔４１は、手押しポンプ１のポンプ台座１０の空気排出孔１３の位置に対応する。空気衝撃緩衝パッド４０と手押しポンプ１の密封縁１４底部を連結させると、通気孔４１と空気排出孔１３は相互に連通し、それにより、ヘルメット内に設けることが可能な空気衝撃緩衝装置２が形成される。また、空気衝撃緩衝パッド４０の片側には、空気抜き弁４２が設けられ、それにより、空気衝撃緩衝パッド４０内の気体を排出させることができる。以上の構造の空気衝撃緩衝装置２をヘルメット内部に設け、手押しポンプ１を連続して押すと、空気が空気衝撃緩衝パッド４０内に入って膨張し（図７に図示）、優れた頭部の保護効果を得られる。ヘルメットが衝撃を受けたとき、空気衝撃緩衝パッド４０の緩衝作用によって、衝撃は完全に分散され、頭部に受ける衝撃を最低限に抑えることができる。また、使用者は、空気衝撃緩衝パッド４０に入れる空気の量を自分で調整することで、使用者の頭部にぴったりとフィットさせることができる。また、本考案で設けられた空気排出弁３０と空気進入弁３０ａは手押しポンプ１の空気室内に収容されているため、使用者はヘルメットを装着した時、空気弁と頭部が接触することによる不快感が生じない。また、空気進入弁と空気排出弁を同一側に近接させて設ける理由は、操作する際の指で押す動作を妨げないようにするためであり、それにより、ポンプを最後まで押し下げることができ、空気を効率的に入れることが可能になる。従って、空気衝撃緩衝パッドに空気を入れる作業の時間を短縮することができる。
【符号の説明】
【００１５】
１      手押しポンプ        
２      空気衝撃緩衝装置
１０    ポンプ台座            
１１    環状突起部
１２    管状台座            
１３    空気排出孔
１４    密封縁
２０    弾性膜部        
２１    受け口
２２    空気進入孔          
２３    密封縁
３０    空気排出弁          
３０ａ  空気進入弁
３１    弁蓋            
３２    弁部材
３３    凹穴
３１１  通孔            
３１２  突起リブ
３１３  凸縁            
３２１  軟性柱
３２２  溝部            
３２３  気密縁部
４０    空気衝撃緩衝パッド            
４１    通気孔
４２    空気抜き弁
【図１】
0003162147.tif 000003
【図２】
0003162147.tif 000004
【図３】
0003162147.tif 000005
【図４】
0003162147.tif 000006
【図５】
0003162147.tif 000007
【図６】
0003162147.tif 000008
【図７】
0003162147.tif 000009